(57)【要約】【課題】本発明は、ジャンパースイッチをコネクタに終始装着することによって、ジャンパースイッチの遺失を防ぐことができるジャンパースイッチアセンブリを提供することを目的とする。【解決手段】本発明に係るジャンパースイッチアセンブリは、コネクタ及びジャンパースイッチを備え、コネクタは、絶縁材料によって製造された本体及び該本体に装着された複数のピンを備え、ジャンパースイッチは、ピンに対してスライド可能に、前記本体に装着され、ジャンパースイッチの底部には導電片が設置され、導電片は隣接する２つのピンに接続されることで、２つのピンを導通させる。【選択図】図５
2014120473.tif 000002
【特許請求の範囲】
【請求項１】
コネクタ及びジャンパースイッチを備えてなるジャンパースイッチアセンブリであって、前記コネクタは、絶縁材料によって製造された本体及び該本体に装着される複数のピンを備え、前記ジャンパースイッチは、前記ピンに対してスライド可能に、前記本体に装着され、前記ジャンパースイッチの底部には導電片が設置され、前記導電片は隣接する２つのピンに接続されることで、前記２つのピンを導通させることを特徴とするジャンパースイッチアセンブリ。
【請求項２】
前記本体の上面には収容溝が設けられ、前記ピンの上部は前記収容溝に収容され、前記本体の対向する両側には、前記収容溝と連通する貫通スロットとスライドスロットとがそれぞれ設けられ、前記ジャンパースイッチは前記貫通スロット及び前記スライドスロットに沿ってスライドすることを特徴とする請求項１に記載のジャンパースイッチアセンブリ。
【請求項３】
前記ジャンパースイッチから前記貫通スロットを挿通する操作部が延出していることを特徴とする請求項２に記載のジャンパースイッチアセンブリ。
【請求項４】
前記ピンは、前記本体の短手方向に沿って一列に配列された第一ピンと、第二ピンと、第三ピンと、を含み、前記貫通スロットの底壁の両端には、突起部がそれぞれ突設され、前記操作部は、前記突起部の間に位置する時、導電片は第二ピンにのみ接続され、前記操作部を操作して、前記ジャンパースイッチを第一ピン又は第三ピンに向けてスライドさせると、前記操作部は対応する突起部を跨えて、且つブロックされ、導電片の両端は第二ピンと第一ピン又は第三ピンにそれぞれ接続されることを特徴とする請求項３に記載のジャンパースイッチアセンブリ。
【請求項５】
前記導電片の両端には接続部がそれぞれ設置されていることを特徴とする請求項４に記載のジャンパースイッチアセンブリ。
【発明の詳細な説明】
【技術分野】
【０００１】
本発明は、ジャンパースイッチアセンブリに関するものである。
【背景技術】
【０００２】
従来の技術において、ジャンパースイッチは、通常、マザーボード上のコネクタの二つのピンを導通させる際に使用されるが、ジャンパースイッチは体積が小さいため、コネクタから取り外した際に、なくなり易い。
【発明の概要】
【発明が解決しようとする課題】
【０００３】
本発明の目的は、前記問題を解決し、ジャンパースイッチをコネクタに終始装着することによって、ジャンパースイッチの遺失を防ぐことができるジャンパースイッチアセンブリを提供することである。
【課題を解決するための手段】
【０００４】
上記目的を達成するために、本発明に係るジャンパースイッチアセンブリは、コネクタ及びジャンパースイッチを備え、前記コネクタは、絶縁材料によって製造された本体及び本体に装着された複数のピンを備え、前記ジャンパースイッチは、前記ピンに対してスライド可能に、前記本体に装着され、前記ジャンパースイッチの底部には導電片が設置され、前記導電片は隣接する２つのピンに接続されることで、前記２つのピンを導通させる。
【発明の効果】
【０００５】
本発明に係るジャンパースイッチアセンブリは、ジャンパースイッチがスライド可能に本体に装着され、２つのピンを導通する必要のない時、本体から取り外さなくて良いので、ジャンパースイッチの遺失を防止することができる。
【図面の簡単な説明】
【０００６】
【図１】本発明の実施形態に係るジャンパースイッチアセンブリの斜視分解図である。
【図２】図１に示すジャンパースイッチアセンブリのＩＩ部分の拡大図ある。
【図３】図１に示すジャンパースイッチアセンブリのジャンパースイッチを別の視角から見た立体斜視図である。
【図４】図１に示すジャンパースイッチの斜視組立図である。
【図５】図４に示すジャンパースイッチのＶ−Ｖ線に沿って切断した切断面を示す図である。
【図６】図５に示すＶＩ部分の拡大図である。
【発明を実施するための形態】
【０００７】
図１及び図２に示したように、本発明の実施形態に係るジャンパースイッチアセンブリは、コネクタ１０及びジャンパースイッチ２０を備える。
【０００８】
コネクタ１０は、絶縁材料によって製造された本体１１を備える。本体１１の上面には収容溝１５が設けられている。本体１１の底部には、本体１１の短手方向に沿って一列に配列された第一ピン１３と、第二ピン１２と、第三ピン１４と、が装着されている。これらのピンの上部は収容溝１５内に収容されている。本体１１の対向する両側には、収容溝１５と連通し、且つ互いに対向する貫通スロット１６とスライドスロット１５２とがそれぞれ設けられている。第一ピン１３の上端、第二ピン１２の上端及び第三ピン１４の上端の位置は、全て貫通スロット１６の底壁１６１の位置より低い。底壁１６１の両端には、突起部１６２がそれぞれ突設されている。各突起部１６２の貫通スロット１６の中央部に面する面には、斜面１６３がそれぞれ形成されている。
【０００９】
図３を参照すると、ジャンパースイッチ２０は、板体２１と、板体２１の底面に設置された導電片２２と、板体２１から外部に向けて延出した操作部２３と、を備える。導電片２２の底面の両端には、接続部２２２がそれぞれ設置されている。
【００１０】
図４〜図６を参照すると、ジャンパースイッチ２０をコネクタ１０に組み立てる際、板体２１及び導電片２２を貫通スロット１６に挿入させ、ジャンパースイッチ２０を底壁１６１及びスライスロット１５２の底壁にそれぞれ当接させる。この際、操作部２３は貫通スロット１６を挿通し、且つ貫通スロット１６の中央部に位置する。導電片２２は第一ピン１２に接続され、第二ピン１３及び第三ピン１４には接続されない。操作部２３を操作して、ジャンパースイッチ２０を第一ピン１３に向けてスライドさせると、操作部２３は右側の突起部１６２の斜面１６３に沿ってスライドし、突起部１６２を弾性変形させる。操作部２３が突起部１６２を超えると、突起部１６２は弾性復帰して操作部２３をブロックし、ジャンパースイッチ２０を固定する。この時、接続部２２２は、第一ピン１３及び第二ピン１２にそれぞれ接続され、第一ピン１３と第二ピン１２とを導通させる。また、操作部２３を第三ピン１４に向けて引いて、ジャンパースイッチ２０を左側へスライドさせると、接続部２２２は第二ピン１２及び第三ピン１４にそれぞれ接続され、第二ピン１２と第三ピン１４とを導通させることができる。
【符号の説明】
【００１１】
１０  コネクタ
１１  本体
１２  第二ピン
１３  第一ピン
１４  第三ピン
１５  収容溝
１５２  スライドスロット
１６  貫通スロット
１６１  底壁
１６２  突起部
１６３  斜面
２０  ジャンパースイッチ
２１  板体
２２  導電片
２２２  接続部
２３  操作部
【図１】
2014120473.tif 000003
【図２】
2014120473.tif 000004
【図３】
2014120473.tif 000005
【図４】
2014120473.tif 000006
【図５】
2014120473.tif 000007
【図６】
2014120473.tif 000008